(57)【特許請求の範囲】
【請求項１】
電源と、光源と、前記光源を支持しつつ前記電源と前記光源とを電気的に接続するアームと、を備え、かつ、まな板本体に中空を有するとともに、
前記光源が、照明非使用状態において前記アームとともにまな板本体内に収納され、照明使用状態において前記アームとともにまな板本体外に引き出されるように、まな板本体の内外に出没可能となっていることを特徴とする照明付きまな板。
【請求項２】
前記電源が電池であることを特徴とする請求項１に記載の照明付きまな板。
【請求項３】
前記アームがフレキシブルアームであることを特徴とする請求項１または２に記載の照明付きまな板。
【請求項４】
前記電源および前記光源が防水されていることを特徴とする請求項１から３までのいずれかに記載の照明付きまな板。
【請求項５】
前記光源をオン・オフするスイッチを備えることを特徴とする請求項１から４までのいずれかに記載の照明付きまな板。
【発明の詳細な説明】
【技術分野】
【０００１】
本発明は、まな板に照明用の光源を取り付けた照明付きまな板に関する。
【背景技術】
【０００２】
従来、まな板に照明用の光源を取り付ける試みは一切なされてこなかった。
【発明の概要】
【発明が解決しようとする課題】
【０００３】
しかし、薄暗い環境の中で料理を行う場合、包丁の扱いを誤って指を怪我したり、調理作業や食材の並べ替えなどの作業が正確にあるいは迅速にできなかったりといった問題が起こりうる。特に、停電時や災害時、キャンプなどの野外での調理時などにこれらの問題が起こり易い。
【０００４】
従来は、恐らく、他の照明器具で手元を照らすことがなされてきたと考えられるが、特に、停電時や災害時、野外などにおいて外部電源が使用できない場合には、手元を照らす適切な照明器具は存在しないのが現状である。
【０００５】
例えば、懐中電灯で照らす場合には、手元を照らすために誰かが懐中電灯を持ち続けなければならない。また、電気スタンドでは持ち運びが面倒であるし、台が広い範囲を占有するので、調理の邪魔にもなる。さらに、調理作業者やその他の人間が、照明器具の光を遮り、手元が暗くなってしまうことが多いことも問題である。
【０００６】
さらに、手元が十分に明るくない状況では、調理作業が手際良く行えないし、怪我をする危険があり、また、その危険ゆえに作業者にはストレスがかかる。さらに、まな板上部が十分に見えないために、雑菌の繁殖などが十分に判別できず、衛生面での不安も生じさせる。
【０００７】
そこで、本発明は、持ち運びの不便さがなく、調理時の手元を照らして安全性および作業性を向上させる照明付きまな板を提供することを目的としている。
【課題を解決するための手段】
【０００８】
本発明者は、上記課題を解決するために鋭意検討を行い、まな板が電源と前記電源と接続した光源とをそれぞれ所望の位置に備えるものであれば、上記課題が解決されることを見出して、本発明を完成するに至った。
【０００９】
すなわち、本発明にかかる照明付きまな板は、電源と、光源と、前記光源を支持しつつ前記電源と前記光源とを電気的に接続するアームと、を備え、かつ、まな板本体に中空を有するとともに、前記光源が、照明非使用状態において前記アームとともにまな板本体内に収納され、照明使用状態において前記アームとともにまな板本体外に引き出されるように、まな板本体の内外に出没可能となっていることを特徴とする。
【００１０】
上記において、前記電源は電池であることができる。前記アームがフレキシブルアームであることができる。前記電源および前記光源が防水されているものであることができる。前記光源をオン・オフするスイッチを備えるものであることができる。
【発明の効果】
【００１１】
本発明の照明付きまな板は、まな板自体が電源および光源を備えているので、持ち運びの不便さがない。そして、まな板とは別に照明器具を準備せずに、調理時の手元を照らして安全性および作業性を向上させることができる。簡易な構造であるので、比較的安価に製造できるという利点もある。
【００１２】
電源が電池であると、扱いが便利である。
【００１３】
前記光源を内蔵するための中空を有して、前記光源がまな板本体の内外に出没可能となっていれば、照明を使用する必要がないときには収納しておくことができるので、省スペース化が可能となり、また、通常のまな板と同様に使用することができる。
【００１４】
光源がアームによって支持されていれば、適切な位置を照らすことができる。
【００１５】
アームがフレキシブルアームであれば、光源の位置を柔軟に変えることができるので、利便性が向上する。
【００１６】
電源および光源が防水されていれば、電源や光源が水によって損傷することがない。
【００１７】
光源をオン・オフするスイッチを備えていれば、必要に応じて、容易に照明を点灯・消灯できるので、利便性が向上する。
【図面の簡単な説明】
【００１８】
【図１】本発明の照明付きまな板の一実施形態において、照明の非使用時における概観を示す斜視図である。
【図２】図１の実施形態において裏面側から見た電源取出口を示す部分拡大図である。
【図３】図１の実施形態において裏面側から見たアーム引出口を示す部分拡大図である。
【図４】図１に示す状態からアームを引き出した状態を示す斜視図である。
【図５】図１に示す状態からアームを引き出した状態を示す側面図である。
【図６】本発明の照明付きまな板の別の実施形態を示す斜視図である。
【図７】本発明の照明付きまな板の別の実施形態を示す斜視図である。
【図８】本発明の照明付きまな板の別の実施形態を示す側面図である。
【図９】本発明の照明付きまな板の別の実施形態として採用し得る内部構造の斜視図である。
【図１０】本発明の照明付きまな板の別の実施形態として採用しうるスイッチ構造を示す側面図である。
【発明を実施するための形態】
【００１９】
以下、図１〜１０を用いて、本発明にかかる照明付きまな板の好ましい実施形態について詳しく説明するが、本発明の範囲はこれらの説明に拘束されることはなく、以下の例示以外についても、本発明の趣旨を損なわない範囲で適宜変更実施し得る。
【００２０】
図１は、持ち運び時や収納時など、照明の非使用状態である。まな板１０に設けられた中空部に、電源としての電池２０と、照明用の光源３０と、光源３０を支持するアーム４０とが内蔵されている。アーム４０は、電池２０と光源３０とを電気的に接続する役割も果たしている。
【００２１】
この実施形態では、電池２０とアーム４０とを配線５０で電気的に接続するようにしている。
【００２２】
後述のようにアーム４０を引き出すことができるようにするため、配線５０はアーム４０の引き出し長さ分と同じだけ延長可能でなければならない。この場合、単に、配線５０の長さに余裕を持たせておけばよいが、まな板１０内部で絡まりあう可能性があるので、例えば、図１に示すように、巻き取り式など従来公知の配線収納部５１を設けておくことができる。
【００２３】
光源３０としては、特に限定されないが、ＬＥＤのごとく省エネルギーの光源が好ましい。
【００２４】
この実施形態では、電源２０がまな板１０本体から取り出せるようになっており、また、光源３０がまな板１０本体の内外に出没可能となっている。
【００２５】
具体的には、図２に示すように、電池２０は電池取出口２１から取り出し可能であり、図３に示すように、アーム４０はアーム引出口４１から光源３０とともに引き出し可能となっている。電池取出口２１およびアーム引出口４１は、電池２０およびアーム４０を内蔵している状態において、それぞれ、カバー２２、カバー４２で封止可能となっている。
【００２６】
カバー２２、カバー４２は、いずれも内側にゴムパッキンが形成されていることにより（図示せず）、カバー２２、カバー４２を取り付けた状態で防水されるようになっている。そのため、この状態では、一般的なまな板と同様に、洗うことが可能である。
【００２７】
電池２０の残量がなくなった場合には、カバー２２を取り外して電池２０を取り出し、新しい電池２０と交換したのち、再びカバー２２を取り付ける。
【００２８】
電池２０としては、特に限定されず、一次電池だけでなく、蓄電池を使用してもよい。
【００２９】
照明の使用状態においては、まず、アーム引出口４１を封止するカバー４２を取り外す。
【００３０】
次に、照明の使用状態について説明すると、使用時には、図４，５に示すように、アーム引出口４１から、光源３０とともにアーム４０を引き出す。
【００３１】
図４，５に示すように、アーム４０がアーム引出口４１から引き出された状態において、アーム引出口４１と接する周囲４３を、ゴム素材で形成するようにして、照明使用時における防水性を確保している。アーム引出口４１と接する周囲４３をゴム素材で形成するには、例えば、アーム４０全長をゴム素材で形成したり、周囲４３のみをアーム４０と異なるゴム素材で形成したり、周囲４３のみにゴム素材のリング部材を取り付けたり、といった方法が挙げられる。
【００３２】
図４，５に示すように、アーム４０がフレキシブルアームであると、調理作業の際、光源３０を自由に移動させることができ、利便性が高い。
【００３３】
図４，５に示すように、光源３０をアーム４０の先端に取り付けると、光源３０の移動可能な距離が長いので便利である。
【００３４】
なお、本発明は、上記実施形態に限定されず、例えば、以下のような変更実施が可能である。
【００３５】
すなわち、本発明は、まな板自体が電源とこれに接続した光源とをそれぞれ所望の位置に備えていればよく、上記実施形態のように、電源や光源がまな板に内蔵されることは必須ではないし、電池以外の電源を用いるようにしてもよい。
【００３６】
また、電源として、例えば、図６に示すように、太陽電池を用いることもできる。
【００３７】
図６に示す例では、太陽光パネル２０１をまな板１０の側面に設けるようにし、太陽光パネル２０１により生成された電気エネルギーが配線５０を介して蓄電池２０２に供給されるようになっている。
【００３８】
蓄電池２０２の下部には、通電制御部２０３が設けられており、蓄電池２０２への太陽光パネル２０１からの電気エネルギーの供給量、蓄電池２０２の残量などに応じて、通電量を制御することができるようになっている。これにより、天候や時刻による照度の変動があっても蓄放電が適切になされ、省エネルギー化が実現できる。
【００３９】
その他の構成は、上記実施形態と共通でよい。
【００４０】
なお、図６に示す例では、太陽光パネル２０１を取り付ける位置をアーム引出口４１側としているが、これに限定されず、アーム引出口４１を設けた面以外の面（例えば、電池取出口２１を設けた面）に設けるようにしてもよい。
【００４１】
ただ、まな板の使用者は、通常、照明効果を十分に得るために光源３０に対向する位置に立つであろうし、さらに、アーム４０や光源３０が調理の妨げとなる可能性があるので、敢えて、アーム引出口４１側に立って調理することは想定し難い。そうすると、太陽光パネル２０１は、図６に示す例のように、まな板の使用者が立たないであろうアーム引出口４１側に設けた方が、使用者の邪魔になったり、使用者がぶつかって損傷したりするといった可能性を低減できると考えられる。
【００４２】
さらに、図示は省略するが、太陽電池と乾電池を組み合わせて、普段は、太陽電池からの電力を利用して光源を点灯させるようにし、日没後など太陽電池からの電力供給がなくなり、かつ、蓄電池に蓄電した電力も費やしてしまった後に、乾電池からの電力供給に切り替え可能となったものであってもよい。
【００４３】
まな板を暗闇で使用することはそれほど頻繁ではないし、調理時間もせいぜい数時間程度であるから、その電力消費は大きくなく、太陽電池による電力供給で賄える場合が多いが、蓄電残量がない状態で夜間突然停電した場合など、予期せぬ事態にあっても乾電池による電力供給が可能であるという利点がある。
【００４４】
また、上記実施形態では、アームとしてフレキシブルアームを用いたが、図７、８に示すように、直立のアーム４０ａを用いてもよい。アーム４０ａは、関節部４４を有していて、関節部４４を伸ばして、寝かせるようにすることで、まな板への収納が可能となっている。
【００４５】
なお、この実施形態では、アーム４０ａは、その全長にわたって、まな板１０の長辺に対して直交する方向に出没可能となっており、関節部４４より前方を、光源３０をまな板１０の方に引き上げるように立ち上げて直立状態とするよう構成されているが、例えば、アーム４０ａを、関節部４４より前方がまな板１０の長辺に対して平行に、すなわち、まな板１０の長辺に沿った状態で出没可能となるように構成し、関節部４４より前方を、光源３０をまな板１０の長辺に沿って引き上げるように立ち上げて直立状態とするよう構成することもできる。
【００４６】
アーム４０ａが、まな板１０の長辺に沿った状態で出没可能であるため、引出方向にあまりスペースがなくても良いという利点がある。この場合、まな板１０の長辺に沿った状態でアーム４０ａの関節部４４より前方と光源３０が出没可能となるよう、アーム引出口はやや広範囲にわたって形成されることになる。
【００４７】
さらに、上記実施形態では、巻き取り式の配線収納部５１を用いるようにしたが、図９に示すように、配線レール５２を用いるようにしてもよい。
【００４８】
すなわち、上部側がスライド可能となるように２つの絶縁体５２１、５２２を組み合わせ、配線ダクトとなる下部側の絶縁体５２１の内部には導体５２３がその全長にわたって敷設され、上部側の絶縁体５２２の内部には、導体５２３と摺接する凹状の受電部（図示せず）がその全長にわたって設けられている。導体５２３と受電部が摺接するようになっているので、アーム４０および光源３０の引出動作におけるいずれの時点においても、導電体５２３から受電部への電力の供給がなされ、さらに、受電部からアーム４０および光源３０へと電力が供給される。
【００４９】
なお、この実施形態においても、上述する実施形態と同様に、アーム４０におけるアーム引出口４１と接する周囲４３をゴム素材で形成することができるが、これに代えてあるいはこれに加えて、上部側の絶縁体５２２におけるアーム引出口４１と接する周囲をゴム素材で形成するようにしても良い。
【００５０】
この実施形態によれば、アーム４０および光源３０のスムーズな引出が可能となるとともに、配線５０を巻き取る必要がないので、配線の消耗が大きくなく、安定的に使用できる利点がある。
【００５１】
また、巻取り式の配線収納部、配線レールの他にも、例えば、カールコードを使用するなど、アームおよび光源を、その電気的接続を維持しつつ進退可能とするあらゆる手段が利用できる。なお、カールコードは、その形状が螺旋状にカールしており、螺旋の軸方向に伸縮自在となっているものであり、従来公知のものが利用できる。カールコードを用いた場合も、配線５０を巻き取る必要がないので、配線５０の消耗が大きくなく、安定的に使用できる利点がある。
【００５２】
加えて、上記各実施形態では、スイッチを設けていないので、電池の着脱のみで点灯、消灯を制御するようになっているが、光源の点灯、消灯は、それほど頻繁になされるものではないので、このようにしてもほとんど問題はない。しかし、光源のオン・オフをより簡便に行うために、スイッチを設けてもよい。例えば、アームにスイッチを取り付けたり、電池取出口の近くにスイッチを取り付けたりした実施形態であってもよい。さらに、スイッチを、アームや電池取出口付近などの複数個所に設けるようにしてもよい。さらに、このスイッチは、照度調節機能を備えたものであってもよい。
【００５３】
さらに、アームや電池取出口などに単にスイッチを設ける上記方法以外に、アームの動作に連動してスイッチングがなされるようにする方法も採用することができ、この場合には、照明を使用するために光源を引き出すとともに自動的に光源が点灯することとなるので、非常に使い勝手が良く、無駄な電力消費が抑えられ、省エネルギー化も実現できる。
【００５４】
具体的には、例えば、図１０に示すように、スライド式のスイッチ６０を設けることも可能である。
【００５５】
この実施形態では、図９に示す実施形態と同様に、配線レール５２の基本構造、すなわち、位置が固定された下部側の絶縁体５２１とスライドしてアーム４０を引出すための上部側の絶縁体５２２を設けており、ただし、図９に示す実施形態とは異なって、導体５２３とこれと摺接する凹状の受電部を有さず、その代わりに、下部側の絶縁体５２１には電源と接続した固定接点６１を設け、上部側の絶縁体５２２にはアーム４０を引出した状態で固定接点６１と接して光源３０への電力供給を可能とする可動接点６２を設けるようにしている。
【００５６】
この実施形態によれば、アーム４０の収納時にはオフ（図１０（ａ）に示す状態）、アーム４０の引出時にはオン（図１０（ｂ）に示す状態）というスイッチ操作が、アーム４０の動作に連動してなされるので、スイッチのオン・オフに際し、使用者には余分な負担が全くかからない。
【００５７】
最後に、上記各実施形態では、アームにおけるアーム引出口と接する周囲をゴム素材で形成した例について説明したが、アーム側でなく、アーム引出口側、すなわち、アーム引出口におけるアームと接する引出口内周面にゴムパッキンを形成するようにしても良い。
【産業上の利用可能性】
【００５８】
本発明は、従来のまな板に代えて、例えば、停電時や災害時、野外などにおいて好適に利用することができる。
【符号の説明】
【００５９】
１０  まな板
２０  電池
２１  電池取出口
３０  光源
４０  アーム
４１  アーム引出口
５０  配線
６０  スイッチ
【図１】
0005150753.tif 000002
【図２】
0005150753.tif 000003
【図３】
0005150753.tif 000004
【図４】
0005150753.tif 000005
【図５】
0005150753.tif 000006
【図６】
0005150753.tif 000007
【図７】
0005150753.tif 000008
【図８】
0005150753.tif 000009
【図９】
0005150753.tif 000010
【図１０】
0005150753.tif 000011